(57)【要約】【課題】遊技機枠の裏側から前側に払い出される球の払出時間の短縮化と球の貯蔵量の多量化とを図る。【解決手段】球払出機構８３から縦樋８４を経由して払い出された球が、球皿構造体６の球受樋５５と左球取入口１７を経由して球供給口２１に到達するので、当該球が横樋５６で球皿構造体６の裏側を左側から右側に移動する時間が不要となり、球供給口２１に短時間で到達することができ、球皿構造体６の球受皿部１１は、受け入れ球を、球受皿部１１の全体に貯められ、球受皿部１１より溢れた球を、右球取入口１８を経由して横樋５６にも貯められるので、可動枠３の裏側から前側の球皿構造体６に払い出される球の貯蔵量が多くなる。【選択図】図２
2006102226.tif 000002
【特許請求の範囲】
【請求項１】
遊技機枠の可動枠には遊技盤が取り付けられ、可動枠の裏面には球払出装置が設けられ、可動枠の前面には球皿構造体が前側の横方向に片開き可能に設けられ、閉じられた球皿構造体と可動枠との間には、球を上方の遊技盤の遊技領域に向けて発射する球発射機構と、球発射機構から発射されて遊技領域に到達することなく下方に戻ったファール球を取り込むファール球取入口部と、ファール球取入口部から可動枠の裏側に排出されたファール球を遊技盤より下部で左側から右側に誘導する横樋とが配置され、球発射機構およびファール球取入口部が可動枠の前面で左側に位置して取り付けられ、横樋がファール球取入口部より右側に連接され、横樋には右球出口が設けられ、球皿構造体の前面には、遊技に使用する球を入れる球受皿部と、球受皿部の左側に位置する左球取入口と、球受皿部の右側に位置して横樋の右球出口から排出された球を球受皿部に取り込むための右球取入口と、球発射機構に発射するための球を供給する球供給口とが設けられ、球皿構造体の裏面には球払出装置から払い出された球を左球取入口に誘導する球受樋が設けられたことを特徴とする遊技機の遊技機枠。
【発明の詳細な説明】
【技術分野】
【０００１】
本発明は、遊技機枠の裏側から前側に払い出される球の払出時間が短時間でかつ球の貯蔵量が多くなる遊技機の遊技機枠に関する。
【背景技術】
【０００２】
球を遊技媒体に使用する遊技機の遊技機枠では、前枠と呼ばれる可動枠が遊技店の島と呼ばれる遊技機設置設備に取り付ける外枠と呼ばれる固定枠に遊技機枠を前側から見た左側のヒンジを中心として前側の横方向に片開き可能に設けられている。可動枠には、賞球または貸球としての球を遊技機枠の裏側から前側に払い出す球払出装置が設けられる。球払出装置は、可動枠の裏面に設けられた球払出機構と、可動枠の前面に設けられた球皿構造体とを備え、球払出機構から払い出された球を、可動枠の裏面における左側部に沿って下方に誘導して球皿構造体に払い出すようになっている。この払出機構から可動枠の裏面における左側部の下部から球皿構造体に球を払い出す経路には、可動枠と皿構造体との間において、可動枠の前面に設けられた球発射機構との関係から、大別して、２通り存在する。１つは球発射機構が可動枠の前面において右側に位置して設けられた場合であり、もう１つは球発射機構が可動枠の前面において左側に位置して設けられた場合である。球発射機構が可動枠の前面において右側に位置して設けられた場合は、球皿構造体から球発射機構に球を供給するための球供給口が球皿構造体の右側に設けられ、球払出機構から球皿構造体に排出するための球取入口が球皿構造体の左側に設けられた構造であるため、球を球皿構造体の球取入口から球供給口に到達させるまでの球の払出時間が長く、球を球払出機構から球皿構造体の球供給口まで貯める球の貯蔵量が少ないという欠点があった。球発射機構が可動枠の前面において左側に位置して設けられた場合は、球供給口が球皿構造体の左側に設けられ、球取入口が球皿構造体の右側に設けられた構造であるため、球を球払出機構から球皿構造体の球供給口まで貯める球の貯蔵量が球発射機構を可動枠の前面において右側に位置して設けられた場合よりも多くなるものの、球を球皿構造体の球取入口から球供給口に到達させるまでの球の払出時間が長いという欠点があった。
【特許文献１】特開２００１−  ３８０１２号公報
【特許文献２】特開２００３−２９０５２６号公報
【発明の開示】
【発明が解決しようとする課題】
【０００３】
発明が解決しようとする問題点は、遊技機枠の裏側から前側に払い出される球の払出時間が長く、かつ、球の貯蔵量が少ないという点である。
【課題を解決するための手段】
【０００４】
本発明に係る遊技機の遊技機枠は、遊技機枠の可動枠には遊技盤が取り付けられ、可動枠の裏面には球払出装置が設けられ、可動枠の前面には球皿構造体が前側の横方向に片開き可能に設けられ、閉じられた球皿構造体と可動枠との間には、球を上方の遊技盤の遊技領域に向けて発射する球発射機構と、球発射機構から発射されて遊技領域に到達することなく下方に戻ったファール球を取り込むファール球取入口部と、ファール球取入口部から可動枠の裏側に排出されたファール球を遊技盤より下部で左側から右側に誘導する横樋とが配置され、球発射機構およびファール球取入口部が可動枠の前面で左側に位置して取り付けられ、横樋がファール球取入口部より右側に連接され、横樋には右球出口が設けられ、球皿構造体の前面には、遊技に使用する球を入れる球受皿部と、球受皿部の左側に位置する左球取入口と、球受皿部の右側に位置して横樋の右球出口から排出された球を球受皿部に取り込むための右球取入口と、球発射機構に発射するための球を供給する球供給口とが設けられ、球皿構造体の裏面には球払出装置から払い出された球を左球取入口に誘導する球受樋が設けられたことを最も主要な特徴とする。
【発明の効果】
【０００５】
本発明に係る遊技機の遊技機枠は、可動枠の裏側で球払出装置から払い出された球が、可動枠の前側における球皿構造体の球受樋と左球取入口を経由して球供給口に到達することによって、当該球が球皿構造体の裏側を左側から右側に移動する時間が不要となり、球供給口に短時間で到達することができるという利点があり、球皿構造体の球受皿部は、受け入れ球を、球受皿部の全体に貯められ、球受皿部より溢れた球を、右球取入口を経由して球皿構造体の横樋にも貯められることによって、可動枠の裏側から前側の球皿構造体に払い出される球の貯蔵量が多くなるという利点がある。
【発明を実施するための最良の形態】
【０００６】
図１乃至図１３は、遊技機の１つであるパチンコ機を例とした発明を実施するための最良の形態である。図１は、遊技機枠１の前側からの外観を示す。図２は、遊技機枠１と横樋５６と遊技盤１５０とを分解した前側からの外観を示す。図３は、可動枠３および横樋５６を分解した裏側からの外観を示す。図４は、横樋５６の前側からの外観を示す。図５のａ図は、図４に示す横樋５６をＡ−Ａ線に沿い切断した断面であって、満タン検出機構７０が満タン状態を検出していない形態を示す。図５のｂ図は、図４に示す横樋５６をＡ−Ａ線に沿い切断した断面であって、満タン検出機構７０が満タン状態を検出している形態を示す。図６は、変更樋８５の前側からの外観を示す。図７は、球皿構造体６と横樋５６との配置関係の前側からの外観を示す。図８は、球皿構造体６とファール球取入口部４７と横樋５６と変更樋８５との配置関係の平面を示す。図９は、図８に示すＢ−Ｂ線に沿い切断した断面に相当する断面を示す。図１０は、図８に示すＣ−Ｃ線に沿い切断した断面に相当する断面を示す。図１１は、図８に示すＤ−Ｄ線に沿い切断した断面に相当する断面を示す。図１２のａ図は、固定具６７を分解した外観を示す。図１２のｂ図は、固定具６７を固定具取付部６５に取り付けた断面を示す。図１３のａ図は、固定具６７を横樋取付部５１に挿入した断面を示す。図１３のｂ図は、固定具６７を横樋取付部５１に取り付けた断面を示す。この明細書において、「前」、「後」、「裏」、「左」、「右」、「上」、「下」の方向は、図２の状態に遊技機枠１と横樋５６および遊技盤１５０を置いて前側から見た場合に特定される方向である。「後」と「裏」とは同じ方向である。
【０００７】
図１を参照し、パチンコ機における遊技機枠１の概略について説明する。遊技機枠１は、固定枠２の前側に可動枠３を左側に位置するヒンジ４で前側の横方向に片開き可能にかつ着脱可能（交換可能）に取り付け、可動枠３の前側に、パネル枠５および球皿構造体６を左側に位置するヒンジ７で前側の横方向に片開き可能にかつ着脱可能（交換可能）に取り付けた構造である。固定枠２は、遊技店の島と呼ばれる図外の遊技機設置構造体に取り付けるための外枠と呼ばれ、前後方向に開放された縦長な長方形の空間を囲む額縁形状である。可動枠３は、前枠または中枠と呼ばれ、遊技主体としての遊技盤１５０を取り付けるものである。パネル枠５は、前後方向に貫通する窓８を囲む額縁形状である。パネル枠５の裏面には、光を透過する性質の有る無色なガラスまたは合成樹脂からなる前面パネル９が、窓８を塞ぐ格好で取り付けられる。球皿構造体６の前面には、球受皿部１１と球発射操作機構１２とを備える。
【０００８】
球受皿部１１は、左右両側から中央に行くに従って徐々に前側に突出する平面視半月状の底壁１３と、底壁１３の前側における弧状の周縁から上方に突出した前壁１４と、底壁１３の左右方向に直線的に延びた後壁１５とによって、遊技に使用する球を受ける上方に開放された収容部を構成する。球受皿部１１の内部には、底壁１３から上方に突出する中間壁１６を備える。球受皿部１１の後壁１５には、左球取入口１７が左端部に位置して設けられ、右球取入口１８が右端部に位置して設けられる。球受皿部１１の中間壁１６と前壁１４とそれらの間の底壁１３とが、誘導路１９を形成する。誘導路１９は、左球取入口１７から底壁に排出された球を、球受皿部１１の左側から中央に向けて螺旋状に流れるように誘導する。球受皿部１１の中間壁１６と後壁１５とそれらの間の底壁１３とが、引込路２０を形成する。引込路２０は、誘導路１９から排出された球や右球取入口１８から底壁１３に排出された球を、球受皿部１１の後壁１５に沿って左球取入口１７の周囲における中間壁１６および底壁１３の下に流れ込むように誘導する。引込路２０に誘導された球は、左球取入口１７の真下に位置して球皿構造体６に設けられた球供給口２１に到達する。
【０００９】
つまり、球受皿部１１では、誘導路１９が左球取入口１７から排出された球を矢印Ｘ１で示す経路で引込路２０へと誘導し、引込路２０が誘導路１９から排出された球と右球取入口１８から排出された球とを矢印Ｘ２で示す経路で球供給口２１へと誘導する。球受皿部１１には、球受皿部１１の球を球皿構造体６から下方に排出する球排出口２２が、誘導路１９と引込路２０との交差する部分に設けられる。球排出口２２は、蓋２３で塞がれている。蓋２３は、球皿構造体６の前面に設けられた球排出操作部２４に図外のリンク機構で連結される。よって、人が球排出操作部２４を押すと、蓋２３が球排出口２２を開くように移動し、球受皿部１１の球が球排出口２２を経由して球皿構造体６から下方に排出される。上記人による球排出操作部２４への押す操作が解除されると、蓋２３がリンク機構におけるばねのばね力で球排出口２２を塞ぐように移動する。
【００１０】
図２を参照し、遊技機枠１の前側の内部構造について説明する。可動枠３には遊技盤１５０が前側から取り付けられ、可動枠３の裏面には球払出装置８１が設けられ、可動枠３の前面には球皿構造体６が前側の横方向に片開き可能に設けられ、可動枠３と閉じられた球皿構造体６との間には、球を上方の遊技盤１５０の遊技領域１５３に向けて発射する球発射機構４５と、球発射機構４５から発射されて遊技領域１５３に到達することなく下方に戻ったファール球を取り込むファール球取入口部４７と、ファール球取入口部４７から可動枠３の裏側に排出されたファール球を遊技盤１５０より下部で左側から右側に誘導する横樋５６とが配置され、球発射機構４５およびファール球取入口部４７が可動枠３の前面で左側に位置して取り付けられ、横樋５６がファール球取入口部４７より右側に連接され、横樋５６には右球出口６３が設けられ、球皿構造体６の前面には、遊技に使用する球を入れる球受皿部１１と、球受皿部１１の左側に位置する左球取入口１７と、球受皿部１１の右側に位置して横樋５６の右球出口６３から排出された球を球受皿部１１に取り込むための右球取入口１８と、球発射機構４５に発射するための球を供給する球供給口２１とが設けられ、球皿構造体６の裏面には球払出装置８１から縦樋８４を経由して払い出された球を球皿構造体６の左球取入口１７に誘導する球受樋５５が設けられる。
【００１１】
可動枠３は、前後方向に開放された縦長な長方形の空間を囲む額縁形状の光を遮断する性質の有る合成樹脂からなる可動枠本体２６と、可動枠本体２６から内部に延設された光を遮断する性質の有る合成樹脂からなる遊技主体収納構造体２７とを備える。可動枠本体２６の右側部には、施錠装置２９とロック機構３０；３１；３２が設けられる。可動枠３が、閉じられた場合、ロック機構３０によって、固定枠２に、開閉不能に支持される。パネル枠５が、閉じられた場合、ロック機構３１によって、可動枠本体２６に、開閉不能に支持される。球皿構造体６が、閉じられた場合、ロック機構３２によって、可動枠本体２６に、開閉不能に支持される。可動枠３やパネル枠５および球皿構造体６が、閉じられ、ロック機構３０乃至３２で開閉不能に支持された状態において、遊技店の店員が、図外のキープレート（鍵）を遊技機枠１の前側から施錠装置２９の鍵穴３３に挿入し、当該キープレートを例えば右側に９０度回転操作すると、固定枠２と可動枠３とのロック機構３０による支持形態が解除される。この支持形態の解除後に、店員が、可動枠３を前側に引くことによって、可動枠３は、ヒンジ４を中心として前側に片開きされる。
【００１２】
上記施錠装置２９の鍵穴３３に挿入されたキープレートが、人によって例えば左側に９０度回転操作されると、可動枠３とパネル枠５とのロック機構３１による支持形態が解除される。この支持形態の解除後に、店員が、パネル枠５を前側に引くことによって、パネル枠５は、ヒンジ７を中心として前側に片開きされる。このように、パネル枠５が、前側に開かれた状態において、店員が、可動枠３の前面のロック解除操作体３４を操作すると、可動枠３と球皿構造体６とのロック機構３２による支持形態が解除される。この支持形態の解除後に、店員が、球皿構造体６を前側に引くことによって、球皿構造体６は、ヒンジ７を中心として前側に片開きされる。
【００１３】
遊技主体収納構造体２７は、前側に開放された遊技主体収納室３６、遊技主体収納室３６の後壁に形成された前後方向に貫通する中央開口部３７とを備える。遊技主体収納室３６の左側部には、遊技盤１５０を裏側から前側に押圧する板ばねにより構成された遊技主体押圧部３８と、遊技主体押圧部３８で前側に押された遊技盤１５０を前側から受け止める遊技主体受部３９とを備える。遊技主体収納室３６の右側部には、遊技主体ロック部材４０を備える。遊技主体ロック部材４０は、遊技主体収納構造体２７から前側に突出する台座の中心にロック操作部４１を回転可能に備える。ロック操作部４１は、台座から前側に突出した操作軸の端部に固定された横長な形態である。
【００１４】
遊技主体収納室３６の下縁部は、遊技盤１５０の下部を搭載する左右方向に平坦な面としての遊技主体棚４２を構成する。遊技主体棚４２の裏面には、球機外排出樋４３が取り付けられる。球機外排出樋４３は、球案内体１６８から下方に排出された球を可動枠３から図外の遊技機設置構造体における球捕集機構に向けて排出する通路を遊技主体棚４２の裏側に形成する。遊技主体棚４２の前縁から下方に延設された前壁４４の前面には、球発射機構４５、発射レール４６、ファール球取入口部４７、横樋収納室４８、シャッター４９、シャッター解除機構５０、横樋取付部５１、横樋位置決め部５２、逃部５３を備える。
【００１５】
球発射機構４５は、電力供給と遮断とを交互に受けることによって、球皿構造体６の球供給口２１から発射レール４６に供給された１個の球を遊技盤１５０の遊技領域１５３に向けて発射する。発射レール４６は、球皿構造体６の球供給口２１から供給された１個の球を受け取り、この受け取った球が球発射機構４５で発射されると、この発射された球を、遊技盤１５０における球発射通路１６４の入口に誘導する。ファール球取入口部４７は、遊技盤１５０の球発射通路１６４から落下する球を取り込み、取り込んだ球を前壁４４の裏面に排出する。横樋収納室４８は、横樋５６を可動枠３の前側から装着するための部分であって、遊技主体棚４２の真下に位置し、前壁４４の前面から裏側に窪む、前側と左側とに開口した窪みである。
【００１６】
シャッター４９は、横樋５６が横樋収納室４８に装着され、球皿構造体６が図２に示すように前側に開かれた場合、横樋５６の球が横樋５６の右端部における右球出口６３から前側に落下するのを防止する部材であって、前壁４４に図外のガイド機構で上下方向に移動可能に装着され、図外のばねで上方に跳ね上げて横樋５６の右球出口６３を閉じる。横樋５６の構造については、図４および図５で詳述する。シャッター解除機構５０は、開けられた球皿構造体６が可動枠３の方向に閉じられ、この球皿構造体６で押されることにより、シャッター４９をばねのばね力に抗して下方に移動する。このシャッター解除機構５０で下方に移動したシャッター４９は、横樋５６の右球出口６３を開放する。横樋取付部５１は、前壁４４から前側に突出した筒状である。横樋位置決め部５２は、前壁４４から前側に突出した突起である。逃部５３は、前壁４４および横樋収納室４８の下壁にわたり形成された前後方向および上下方向に貫通した貫通孔である。
【００１７】
球皿構造体６の裏面には、シャッター５４および球受樋５５が設けられる。シャッター５４は、球皿構造体６が図２に示すように前側に開かれた場合、球受皿部１１の球が球供給口２１から裏側に落下するのを防止する部材であって、球皿構造体６の裏面に図外のガイド機構で上下方向に移動可能に装着され、図外のばねで上方に跳ね上げて球供給口２１を閉じる。そして、開けられた球皿構造体６が可動枠３の方向に閉じられた場合、前壁４４の側に設けられた図外の突起で下方に移動する。この下方に移動したシャッター５４は、球供給口２１を開放する。球受樋５５は、可動枠３の裏側から排出される球を左球取入口１７に誘導する部材であって、球皿構造体６が可動枠３の方向に閉じられた場合、横樋収納室４８の左端部に挿入され、横樋収納室４８に装着された横樋５６の左端部における左球出口６２に嵌合する。
【００１８】
遊技盤１５０は、方形な板状の前面における内ガイドレール１５１と外ガイドレール１５２とで囲まれた内側の遊技領域１５３に、チャッカ１５４、一般入賞部品１５５、始動入賞部品１５６、可変入賞部品１５７、センター飾り１５８、風車１５９、遊技釘１６０、球戻り防止弁１６１、球反発体１６２、アウト口１６３などの前部品を備える。内ガイドレール１５１の左側部と外ガイドレール１５２の左側部との間の隙間は、球発射機構４５から発射された球を遊技領域１５３に案内する球発射通路１６４である。遊技盤１５０における内ガイドレール１５１および外ガイドレール１５２の外側の非遊技領域には、遊技盤１５０を可動枠３の遊技主体収納室３６に固定するための取付部１６５が、遊技盤１５０の右側部の上下に位置して設けられる。取付部１６５は、遊技主体収納室３６の遊技主体ロック部材４０と係合するロック挿入孔１６６を備える。
【００１９】
非遊技領域の右側の下部には、証紙台１６７が、前後方向に開閉可能に設けられる。証紙台１６７が、遊技盤１５０との連結部である図外のヒンジを中心として前方に開かれることによって、下部の取付部１６５が、非遊技領域の前側から見える格好となる。そして、証紙台１６７が上記ヒンジを中心として後方に閉じられて証紙台受部１６９で受け止められると、取付部１６５が証紙台１６７で覆われて非遊技領域の前側から見えなくなる。閉じられた証紙台１６７の前面には、遊技盤１５０の検査に合格して販売の認可を受けたことを示すための図外の証紙が、貼り付けられる。遊技盤１５０の裏面には、集合樋と呼ばれる球案内体１６８が設けられる。球案内体１６８は、遊技盤１５０の遊技領域１５３から一般入賞部品１５５、始動入賞部品１５６、可変入賞部品１５７に取り込まれて遊技盤１５０の裏面に排出された球を下方の球機外排出樋４３に排出するための部材である。
【００２０】
図３を参照し、可動枠３の裏側の構造について説明する。可動枠３の裏部、具体的には、遊技主体収納構造体２７の裏面には、球払出装置８１が設けられる。球払出装置８１は、タンク構造体８２、球払出機構８３、縦樋８４、変更樋８５を備える。タンク構造体８２および球払出機構８３は、遊技主体収納構造体２７における中央開口部３７よりも上部の位置で左右に並べられ、遊技主体収納構造体２７の裏面に取り付けられる。タンク構造体８２は、遊技機設置構造体の球補給機構から供給された球を貯蔵する上方に開口した球貯蔵室８６、球貯蔵室８６に貯蔵された球を球払出機構８３の球払出動作に伴い球貯蔵室８６から球払出機構８３の球入口に誘導する払出球通路部８７を備える。球払出機構８３は、球払出機構８３における筐体の内部にスプロケットのような払出体８８と払出球検出器８９とを備え、上記筐体の外部に払出体８８を回転駆動するステップモータのような図外のモータを払出駆動源として備え、タンク構造体８２から球払出機構８３に球が供給されている状態において、払出体８８がモータで一方向に回転駆動されると、払出体８８が球を１個ずつ分離しつつ賞球または貸球として払い出し、払出球検出器８９が払出体８８から払い出された球を電気的に検出して払出球検出信号を図外の制御装置に出力する。
【００２１】
縦樋８４は、払出球検出器８９を通過して球払出機構８３から下部に排出された球を変更樋８５に排出する通路９０を内部に形成し、遊技主体収納構造体２７における中央開口部３７よりも左部の位置で中央開口部３７の左縁に沿って縦に配置され、遊技主体収納構造体２７の裏面に取り付けられる。変更樋８５の構造については、図６で詳述する。変更樋８５は、縦樋８４の真下の位置で遊技主体収納構造体２７の裏面に取り付けられる。変更樋８５における払出球通路９６の球出口９９は、横樋収納室４８の左端部で上壁９１に形成された切欠部９２に配置され、可動枠３に対し閉じられた球皿構造体６の球受樋５５の真上に位置する。よって、球払出装置８１から払い出された球は、変更樋８５の払出球通路９６を経由して図１に示す球皿構造体６の球受皿部１１における左球取入口１７に払い出される。変更樋８５におけるファール球通路９７の球出口１０１は、横樋収納室４８の左端部に形成された開口部９３と対向し、可動枠３に対し閉じられた球皿構造体６の球受樋５５の左側に連接するように配置される。よって、ファール球取入口部４７から払い出された球は、中継樋および横樋５６を経由して図１に示す球皿構造体６の球受皿部１１における右球取入口１８に払い出される。横樋収納室４８の後壁９４には、位置決め部９５が、後壁９４を前後方向に貫通する孔を有する筒状で、後壁９４から裏側に突出して設けられる。位置決め部９５の孔には、横樋５６の後壁５９から裏側に突出した突起として形成された位置決め部６９が嵌め込まれる。
【００２２】
図４を参照し、横樋５６の構造について説明する。横樋５６は、ファール球取入口部４７から排出された球を可動枠３の裏側から排出される球として球皿構造体６の右球取入口１８に誘導する通路を形成し、球受皿部１１から横樋５６まで球が満杯となったことを検出する機能を備える。横樋５６では、左右方向に長い帯板状の底壁５７の前縁と後縁および右縁から前壁５８と後壁５９および右壁６０が上方に突出し、底壁５７の左縁から左壁６１が下方に突出し、後壁５９と右壁６０とが互いに連接され、前壁５８の左端部が切除されて左球出口６２を形成し、前壁の右端部が切除されて右球出口６３を形成し、左球出口６２の存在する底壁５７および左壁６１が前側から後側に窪むように切除されて球受樋収容部６４を形成する。
【００２３】
横樋５６の底壁５７における上面は、横樋５６が図２の横樋収納室４８に嵌め込まれて可動枠３に取り付けられた場合、ファール球取入口部４７から排出された球を矢印Ｘ３で示す経路を通るように左側から右側に流下させるとともに後壁５９の方向に誘導するような、斜面になっている。右球出口６３の存在する底壁５７における上面は、横樋５６が図２の横樋収納室４８に嵌め込まれて可動枠３に取り付けられた場合、右球出口６３の左右方向の幅にわたり、球を矢印Ｘ４で示す経路を通るように後側から前側に誘導するような、斜面になっている。底壁５７の下面からは、固定具取付部６５と位置決め部６６とが下方に突出する。固定具取付部６５には、固定具６７が設けられる。位置決め部６６には、位置決め孔６８が前後方向に貫通する。底壁５７には、満タン検出機構７０が、左側から右側に流下させるとともに後壁５９の方向に誘導するような斜面の部分において、矢印Ｘ３で示す経路から外れるように、前壁５８の方向に寄った位置に設けられる。
【００２４】
図５を参照し、満タン検出機構７０の構造について説明する。図５のａ図において、満タン検出機構７０は、作動板７１とスイッチボックス７２とを備える。作動板７１は、底壁５７に形成された方形な貫通孔７３に挿入可能な大きさの方形板状である。作動板７１が貫通孔７３の内部に挿入され、作動板７１の左端部と底壁５７とが軸７４で上下方向に回転可能に連結され、作動板７１およびスイッチボックス７２には、ばね７５が掛け渡される。作動板７１がばね７５のばね力で軸７４を中心として上方に跳ね上げられ、跳ね上げられた作動板７１の右端部が底壁５７の上面より上方に突出する。跳ね上げられた作動板７１の右端部の下縁と底壁５７の上面との間の隙間は、球Pが当該隙間から貫通孔７３を経由して落下しないようにかつ当該隙間に挟まらないように、１個の球Ｐの直径よりも小さい。作動板７１の下面には、突起７６を備える。スイッチボックス７２は、満タン検出器７７のスイッチ釦７８を上方に向け、満タン検出器７７を内部に固定し、貫通孔７３を塞ぐように、底壁５７の下面に、底壁５７の下側から止ねじ７９で取り付けられる。止ねじ７９の先端は、底壁５７の上面に突出しない。
【００２５】
図５のｂ図に示すように、横樋５６が図２の横樋収納室４８に嵌め込まれて可動枠３に取り付けられ、球受皿部１１から横樋５６および満タン検出機構７０まで球Ｐが満杯となり、当該球Ｐが作動板７１の上に乗り、作動板７１が上に乗った球の重さでばね７５のばね力に抗して下方に回転し、突起７６がスイッチ釦７８を満タン検出器７７のスイッチボディの方向に押す。これによって、満タン検出器７７のスイッチボディの内部に設けられた可動接点がスイッチ釦７８により固定接点と接触し、満タン検出器７７がオン動作して電気的な満杯検出信号をスイッチボックス７２の内部から外部に引き出された図外の配線で制御装置に出力し、満杯検出信号を受信した制御装置が球払出機構８３のモータの駆動を停止し、球払出機構８３による払出動作が停止する。
【００２６】
図６を参照し、変更樋８５の構造について説明する。変更樋８５は、払出球通路９６とファール球通路９７とを内部に備える。払出球通路９６は、上部から右に曲がった後に下方に曲がる蛇行した通路であって、矢印Ｘ５；Ｘ６で示すように、縦樋８４から下方に排出された球を横樋５６の方向に向けて排出するように、球Ｐ１の流れる方向を縦方向から右方向に変更する。払出球通路９６の球入口９８は、変更樋８５の上面に設けられる。払出球通路９６の球出口９９は、変更樋８５における払出球通路９６の上面を形成する下面に設けられ、横樋５６の球受樋収納部６４に配置された球受樋５５の真上に位置する。よって、払出球通路９６の球出口９９から下方に向けて排出された球Ｐ１は、矢印Ｘ６で示す直線的な経路で球受樋５５の上に落下する。ファール球通路９７は、前側および右側に開口しかつ裏側と左側と上側および下側で閉じられた溝状の通路であって、矢印Ｘ７；Ｘ８で示すように、図２に示すファール球取入口部４７から前壁４４の裏面の側に排出された球Ｐ２を可動枠３の裏側から排出される球として横樋５６に誘導する。ファール球通路９７の球入口１００は、変更樋８５の前面に設けられる。ファール球通路９７の球出口１０１は、変更樋８５における払出球通路９６の球出口９９の形成された上面よりも下部で左側に位置して設けられる。
【００２７】
図２を参照し、横樋５６の可動枠３への取り付け方について説明する。パネル枠５および球皿構造体６が開けられた状態において、横樋５６の後壁５９が可動枠３の方向に向けられ、横樋５６のスイッチボックス７２が下方に向けられ、横樋５６が可動枠３の前側から横樋収納室４８に挿入されるのに伴い、スイッチボックス７２が逃部５３に取り込まれ、シャッター４９を前側から裏側に越え、位置決め孔６８が位置決め部５２に嵌め込まれ、位置決め部６６が前壁４４に接触する。このとき、図３に示す位置決め部６９も位置決め部９５に嵌め込まれる。そして、図２に戻り、人が横樋５６の固定具６７を前側から後側に押すことによって、固定具６７が横樋取付部５１に嵌め込まれて結合し、固定具取付部６５が前壁４４に接触する。これによって、横樋５６が横樋収納室４８に配置されて可動枠３に取り付けられる。その後、パネル枠５および球皿構造体６が閉じられて可動枠３に支持される。
【００２８】
図７乃至図１０を参照し、横樋５６が可動枠３に取り付けられ、パネル枠５および球皿構造体６が閉じられて可動枠３に支持された状態において、遊技機枠の裏側から前側に排出される球の流れ方について説明する。図７において、球皿構造体６が閉じられて可動枠３に支持されることによって、球皿構造体６の逃部５３が横樋５６の左球出口６２に連接され、球皿構造体６の右球取入口１８が横樋５６の右球出口６３と前後方向で対向する。図７には図示を省略したが、右球取入口１８と右球出口６３との間には、図２に示すシャッター４９が昇降し得る隙間が形成され、下降したシャッター４９の上面が右球出口６３から右球取入口１８に球を流すように右球取入口１８と右球出口６３との間に配置される。
【００２９】
図８および図９に示すように、ファール球取入口部４７が変更樋８５のファール球通路９７に前後方向で連接される。したがって、ファール球取入口部４７から排出された球は、矢印Ｘ７；Ｘ８の経路で横樋５６に流出する。横樋５６に流入した球は、矢印Ｘ３；Ｘ４の経路で横樋５６の右球取入口１８から球受皿部１１に流出する。球受皿部１１に流入した球は、矢印Ｘ２の経路で図１の球供給口２１に到達する。
【００３０】
図８および図１０に示すように、変更樋８５の払出球通路９６の球出口９９が球皿構造体６の球受樋５５の真上に配置される。したがって、図３の球払出機構８３から縦樋８４を経由して変更樋８５に流入した球は、図８および図１０に示す変更樋８５の球出口９９から矢印Ｘ９の経路で球皿構造体６の球受樋５５に流出する。球受樋５５に流入した球は、球皿構造体６の左球取入口１７から矢印Ｘ１の経路で矢印Ｘ２の経路へ流出して図１の球供給口２１に到達する。
【００３１】
要するに、図８において、球皿構造体６が閉じられることによって、球皿構造体６の球受樋５５が変更樋８５の球出口９９の真下に配置されるので、図３の球払出機構８３から縦樋８４を経由して変更樋８５に流入した球は、変更樋８５の球出口９９から矢印Ｘ９；Ｘ１；Ｘ２の経路を順に通過して球皿構造体６の球受樋５５と左球取入口１７を経由して図１の球供給口２１に到達する。このため、球払出機構８３から払い出された球は、横樋５６で球皿構造体６の裏側を左側から右側に移動する時間が不要となり、球供給口２１に短時間で到達することができるという利点がある。しかも、球皿構造体６の球受皿部１１は、受け入れ球を、球受皿部１１の全体に貯められ、球受皿部１１より溢れた球を、右球取入口１８を経由して横樋５６にも貯められる。このため、可動枠３の裏側から前側の球皿構造体６に払い出される球の貯蔵量が多くなるという利点がある。
【００３２】
図２に戻り、遊技盤１５０の可動枠３への取り付け方について説明する。パネル枠５および球皿構造体６が開けられた状態において、遊技盤１５０の遊技領域１５３が前側に向けられ、遊技盤１５０の裏面が可動枠３の方向に向けられ、遊技盤１５０が遊技機枠１の前側から遊技主体収納室３６に挿入され、遊技盤１５０の下部が遊技主体棚４２の上に載せられ、遊技盤１５０の左側部が遊技主体押圧部３８と遊技主体受部３９との間に挿入されて前後方向から挟まれた後、遊技盤１５０の右側部が作業者によって後側に押され、遊技主体ロック部材４０のロック操作部４１が取付部１６５のロック挿入孔１６６に後側から挿入されて前側に突出した状態において、作業者がロック操作部４１を例えば右方向に９０度回転操作すると、ロック操作部４１がロック挿入孔１６６の周りにおける取付部１６５と係合し、遊技盤１５０が可動枠３に取り付けられる。また、球受樋５５が可動枠３に取り付けられた後、パネル枠５および球皿構造体６が閉じられて可動枠３に支持される。
【００３３】
図２および図１１を参照し、遊技の形態について説明する。図２において、遊技盤１５０および球受樋５５が可動枠３に取り付けられ、パネル枠５および球皿構造体６が閉じられて可動枠３に支持され後、遊技店の従業員が図１１に示す電源装置１７０の電源スイッチを投入すると、電源装置１７０が供給された交流電源を直流電源に変換し、変換した直流電源を図１１に示す発射払出制御装置１７１や図外の主制御装置あるいは図外の複合制御装置および図外の図柄制御装置などの制御装置に供給する。
【００３４】
そして、遊技者が図２の球皿構造体６の球受皿部１１に球を入れて発射操作機構１２を操作すると、発射払出制御装置１７１が球発射機構４５を発射操作機構１２から出力された操作量に応じた発射力で例えば１分間に１から１００発未満までの所定数の間隔で駆動し、球発射機構４５が球受皿部１１から発射レール４６に供給された球を１個ずつ遊技盤１５０の球発射通路１６４に向けて発射する。この球発射通路１６４に発射された球が、球発射通路１６４から球戻り防止弁１６１を押し開けて遊技領域１５３に到達した後に遊技領域１５３を流下する過程において、チャッカ１５４、一般入賞部品１５５、始動入賞部品１５６、可変入賞部品１５７などのいずれかの入賞部品に入賞し、それぞれの入賞に対応する賞球としての球が、図３の球払出機構８３から球受皿部１１に払い出される。
【００３５】
一般入賞部品１５５、始動入賞部品１５６、可変入賞部品１５７に入賞した球は、遊技盤１５０の裏側に排出される。この遊技盤１５０の裏側に排出された球は、図１１に示す球案内体１６８で下方の球機外排出樋４３に排出される。一般入賞部品１５５、始動入賞部品１５６、可変入賞部品１５７などの入賞部品に入賞しないで遊技領域１５３の最下部に流れた球は、アウト口１６３に取り込まれて遊技盤１５０の裏側に排出される。この遊技盤１５０の裏側に排出された球は、図１１に示す矢印Ｘ１０；Ｘ１１の経路で球案内体１６８から下方の球機外排出樋４３に排出される。
【００３６】
図１１において、球受樋５５が可動枠３に取り付けられた場合、球受樋５５の前壁５８が可動枠３における遊技主体棚４２よりも前側に突出し、前壁５８と遊技主体棚４２との間に隙間１７２が左右方向に細長く延びた形状に形成される。隙間１７２の前後方向の寸法は１個の球の直径よりも大きい。よって、遊技盤１５０の遊技領域１５３に球が存在し、前面パネル９が矢印Ｘ１２で示す前側に開けられた場合、パネル枠５の前側への開放に伴い遊技領域１５３から落下した球を、隙間１７２から球受樋５５に取り込むことができる。具体的には、遊技店の店員が、パネル枠５が閉じられている状態において、遊技領域１５３に球が存在するか存在しないかを前面パネル９の前側から目で確認する。そして、遊技領域１５３に球が存在する場合、遊技店の店員がパネル枠５を前側に開ける際、前面パネル９を球受樋５５の真上に到達する地点で止める。これによって、パネル枠５が開けられる際の衝撃により遊技領域１５３からこぼれ出た球は、前面パネル９で下方に誘導されて隙間１７２から球受樋５５に取り込まれる。したがって、パネル枠５が開けられる場合、遊技領域１５３から球が店内に散乱する不都合は解決することができる。
【００３７】
図１２のａ図を参照し、固定具６７の構造について説明する。固定具６７は、係合具１１１と操作具１１２とを備える。係合具１１１および操作具１１２は、互いに別々に形成される。係合具１１１は、前後方向に貫通する中心孔１１３を有する円筒本体１１４の一端部に受部１１５を備え、円筒本体１１４の他端部に掛止部１１６を備える。受部１１５は円筒本体１１４の一端部より軸心方向の一方の外側に開口する皿状である。受部１１５と掛止部１１６との間における円筒本体１１４の外周面は、受部１１５の外径と掛止部１１６の外径との双方よりも細い、くびれ部１１７として形成される。掛止部１１６は、割溝１１８によって、周方向に独立した複数の片持ち梁のような弾性片として形成される。割溝１１８は、掛止部１１６の他端部とくびれ部１１７との間を、軸心方向と直径方向とに切り欠かれる。掛止部１１６を構成する各弾性片の中心孔１１３を囲む内面には、突起１１９が、軸心方向に向けて突出する。
【００３８】
操作具１１２は、棒本体１２０の一端部に鍔１２１とくびれ部１２２と摘み１２３とを備え、棒本体１２０の他端部に係合溝１２４を備える。棒本体１２０は、受部１１５の方向から中心孔１１３に挿入されるとともに、中心孔１１３に挿入された場合に突起１１９を中心孔１１３の径方向外側に押して掛止部１１６を押し広げる、太さである。鍔１２１は、棒本体１２０の外径よりも大きな外径であって、受部１１５における周壁で囲まれた内部に取り込まれる大きさである。くびれ部１２２は、鍔１２１から同軸状に突出し、鍔１２１と摘み１２３との双方よりも細い。摘み１２３は、摘み１２３から同軸状に突出し、くびれ部１２２と鍔１２１との双方よりも太い円盤形状である。
【００３９】
図１２のｂ図を参照し、固定具６７が図２の固定具取付部６５に取り付けられた構造について説明する。固定具取付部６５には取付孔１２６が形成される。そして、係合具１１１のくびれ部１１７が、固定具取付部６５の前側から取付孔１２６に嵌め込まれることによって、受部１１５と掛止部１１６とが、取付孔１２６の周囲における固定具取付部６５を挟む格好となり、係合具１１１が、固定具取付部６５に取り付けられ、掛止部１１６が固定具取付部６５の前面１２７より突出する。そして、操作具１１２の棒本体１２０が、係合具１１１の受部１１５の方向から中心孔１１３に挿入されることによって、係合溝１２４が、突起１１９に嵌め込まれた格好となり、操作具１１２が、係合具１１１に取り付けられる。これによって、固定具６７が固定具取付部６５に取り付けられる。
【００４０】
図１３のａ図を参照し、固定具取付部６５に装着された固定具６７が図２の横樋取付部５１に取り付けられる構造について説明する。横樋取付部５１には横樋取付部５１の前面１２９に開口した筒状の取付孔１３０が形成される。そして、固定具取付部６５に取り付けられた固定具６７の固定具取付部６５より裏側に突出した先端部としての係合具１１１における掛止部１１６が、横樋取付部５１の前側から取付孔１３０の内部に挿入され、係合具１１１の周囲における固定具取付部６５の裏面１２８が取付孔１３０の周囲における横樋取付部５１の前面１２９に接触される。
【００４１】
次に、図１３のｂ図に示すように、人が、操作具１１２の摘み１２３を矢印Ｘ１３で示す後側に押すことによって、上記突起１１９と係合溝１２４との嵌まり合いが解除され、棒本体１２０が中心孔１１３の内部を奥に進入する。これに伴い、棒本体１２０の外周面が、突起１１９を中心孔１１３の径方向外側に押して、掛止部１１６を押し広げる。この中心孔１１３の径方向外側に押し広げられた掛止部１１６が、取付孔１３０を径方向外側に突っ張るように、取付孔１３０に接触する。これによって、固定具６７が取付孔１３０に押し込まれた形態となり、固定具取付部６５が、横樋取付部５１に、固定具６７で、取り付けられる。
【００４２】
このように固定具取付部６５が、横樋取付部５１に、固定具６７で、取り付けられた状態において、人が、操作具１１２の摘み１２３を矢印Ｘ１４で示す前側に引くことによって、棒本体１２０が中心孔１１３の奥から手前に後退する。これに伴い、上記棒本体１２０の外周面による突起１１９に対する中心孔１１３の径方向外側への押し力が弱くなり、掛止部１１６が自身の弾性によって径方向内側に復帰し、突起１１９が係合溝１２４に嵌まり込み、掛止部１１６が取付孔１３０から離れ、図１３のａ図の状態になる。これによって、固定具６７と取付孔１３０との係合が解除された形態となり、人が固定具取付部６５を支持して横樋取付部５１から離れる方向に移動すると、固定具６７の装着されたままの固定具取付部６５が横樋取付部５１から取り外される。
【００４３】
要するに、図２の横樋５６を前後方向に操作することで可動枠３に固定するための固定具６７が横樋５６に設けられ、横樋５６が可動枠３に可動枠３の前側から取り外すことができるので、横樋５６の可動枠３への着脱を容易に行うことができるという利点がある。
【産業上の利用可能性】
【００４４】
満タン検出機構７０を、横樋５６に設けることに代えて、変更樋８５の払出球通路９６または縦樋８４に設けてもよい。この場合、貫通孔７３は横樋５６に形成されない。
【図面の簡単な説明】
【００４５】
【図１】遊技機枠を示す斜視図（最良の形態）。
【図２】遊技機枠、横樋、遊技盤を示す分解斜視図（最良の形態）。
【図３】可動枠、横樋を示す分解斜視図（最良の形態）。
【図４】横樋を示す斜視図（最良の形態）。
【図５】図４のＡ−Ａ線断面図（最良の形態）。
【図６】変更樋を示す斜視図（最良の形態）。
【図７】球皿構造体と横樋との配置関係を示す斜視図（最良の形態）。
【図８】球皿構造体とファール球取入口部と横樋と変更樋との配置関係を示す平面図（最良の形態）。
【図９】図８のＢ−Ｂ線断面図に相当する断面図（最良の形態）。
【図１０】図８のＣ−Ｃ線断面図に相当する断面図（最良の形態）。
【図１１】図８のＤ−Ｄ線断面図に相当する断面図（最良の形態）。
【図１２】ａ図は固定具を示す分解斜視図、ｂ図は固定具の被取付部材への取付構造を示す断面図（最良の形態）。
【図１３】ａ図は固定具を相手側部材に挿入した形態を示す断面図、ｂ図は固定具を相手側部材に取り付けた形態を示す断面図（最良の形態）。
【符号の説明】
【００４６】
１      遊技機枠
３      可動枠
６      球皿構造体
１１    球受皿部
１７    左球取入口
１８    右球取入口
２１    球供給口
４５    球発射機構
４７    ファール球取入口部
５５    球受樋
６３    右球出口
８１    球払出装置
８４    縦樋
１５０  遊技盤
１５３  遊技領域
【図１】
2006102226.tif 000003
【図２】
2006102226.tif 000004
【図３】
2006102226.tif 000005
【図４】
2006102226.tif 000006
【図５】
2006102226.tif 000007
【図６】
2006102226.tif 000008
【図７】
2006102226.tif 000009
【図８】
2006102226.tif 000010
【図９】
2006102226.tif 000011
【図１０】
2006102226.tif 000012
【図１１】
2006102226.tif 000013
【図１２】
2006102226.tif 000014
【図１３】
2006102226.tif 000015